(57)【要約】【課題】従来から、使用して小さくなった磨耗固形石鹸を最後まで使い切ることを試みたものであるが、使用しづらい磨耗固形石鹸は石鹸箱や排水口に放置され、最後まで使用できないものであった。近年、最後まで使用できる固形石鹸として多くの考案や発明がなされているが、固形石鹸同士の接着力を高める方法に主眼を置いた考案や発明であるため、種類や材質や形状が多岐にわたる固形石鹸では接着力も千差万別で、すべての固形石鹸に接着効果を期待することは困難ある。また、固形石鹸の形状を大きく変える空隙や穴若しくは窪みの凹部を形成するため、意匠やデザインに大きく影響して商品化が困難である。【解決手段】使用して小さくなった磨耗固形石鹸８を嵌挿結合、嵌挿固定する構造で、ずれや剥離を防止する側面視Ｖ字切断面を有する嵌挿溝５若しくは嵌挿突起４で形成されていることを特徴とする固形石鹸とその加工装置。【選択図】図２
2014185308.tif 000002
【特許請求の範囲】
【請求項１】
使用して小さくなった磨耗固形石鹸８の周縁部１０を嵌挿する嵌挿溝５若しくは嵌挿突起４が、嵌挿結合すべき固形石鹸本体１の少なくとも一つの表面に形成して成ることを特徴とする使用して小さくなった磨耗固形石鹸と嵌挿結合する固形石鹸。
【請求項２】
請求項１に記載の嵌挿溝５若しくは嵌挿突起４は、鋭角から成る側面視Ｖ字切断面で、対角方向に一対で形成し、複数で成ることを特徴とし、嵌挿結合すべき固形石鹸本体１の平面視中心に向いて湾曲に形成して成ることを特徴とする使用して小さくなった磨耗固形石鹸と嵌挿結合する固形石鹸。
【請求項３】
請求項１乃至２に記載の嵌挿溝５若しくは嵌挿突起４は、側面視Ｖ字切断面の上側先端辺９を薄片から成ることを特徴とする使用して小さくなった磨耗固形石鹸と嵌挿結合する固形石鹸。
【請求項４】
請求項１乃至３に記載の嵌挿溝５若しくは嵌挿突起４を加工すべき位置を、マーキング７表示して成ることを特徴とする使用して小さくなった磨耗固形石鹸と嵌挿結合する固形石鹸。
【請求項５】
請求項１乃至４に記載の嵌挿溝５若しくは嵌挿突起４を加工する、固形石鹸溝切りカッター部材１４を、少なくとも一つ具えたことを特徴とする固形石鹸溝切りカッター装置。
【請求項６】
請求項５に記載の固形石鹸溝切りカッター装置であって、垂直芯軸１３を装着した中心脚１２と固形石鹸溝切りカッター部材１４を装着した回転脚１７から成り、中心脚１２と回転脚１７が内側連結バンド２０若しくは外側連結バンド２１にて連結されて成ることを特徴とする固形石鹸溝切りカッター装置。
【請求項７】
請求項５に記載の固形石鹸溝切りカッター装置であって、それぞれ垂直芯軸１３を中心に斜めに傾斜した一対の固形石鹸溝切りカッター部材１４を具えたことを特徴とする固形石鹸溝切りカッター装置。
【請求項８】
請求項５に記載の固形石鹸溝切りカッター装置であって、握持部１５とこの握持部１５に連設する垂直芯軸１３である中心脚１２と固形石鹸溝切りカッター部材１４である回転脚１７を具えたことを特徴とする固形石鹸溝切りカッター装置。
【請求項９】
請求項５乃至８に記載の固形石鹸溝切りカッター装置であって、背面側部分に吸盤２４を具えたことを特徴とする固形石鹸溝切りカッター装置。
【請求項１０】
請求項５乃至８に記載の固形石鹸溝切りカッター装置であって、中心脚嵌挿溝１６と回転脚嵌挿溝１８若しくは固形石鹸溝切りカッター装置嵌挿溝２６を形成してから成ることを特徴とする固形石鹸溝切りカッター装置。
【発明の詳細な説明】
【技術分野】
【０００１】  本発明は、使用して小さくなった磨耗固形石鹸を、次の新しい固形石鹸に嵌挿結合、嵌挿固定させることにより、使用して小さくなった磨耗固形石鹸を捨てることなく最後まで使用できるようにした新しい固形石鹸に関するものと、その加工装置に関するものである。
【背景技術】
【０００２】  従来から、使用して小さくなった磨耗固形石鹸を、次の新しい固形石鹸と手の力で圧着接合、接着させ、最後まで使い切ることを試みたものであるが、圧着接合、接着直後に泡立てる行為で圧着接合、接着面が剥離し最後まで使い切ることが出来ない経験をしたものである。また、数日放置して硬く乾燥した状態で使用することで最後まで使い切る目的を達成できた場合もあるが、期待に反して剥離し、石鹸箱や排水口に放置され、使用して小さくなった磨耗固形石鹸を最後まで使用できないものであった。【０００３】  そんな中で近年は、もったいない意識やリサイクル意識が高くなり、使用して小さくなった磨耗固形石鹸を捨てることなく再利用することを目的に、網状ネット袋に投入して使用する方法や、固形石鹸同士を接合、接着するために固形石鹸の接着力を高める方法などが開示されている。例えば、固形石鹸に窪みを設けてその窪みの表面に線や筋、凹凸を設け、固形石鹸の接着力を高める方法や、固形石鹸同士の接合、接着のための中間接着補助材を設置する方法等がある。（例えば、特許文献１及び特許文献２参照）【０００４】  また、新しい固形石鹸本体の形状に空隙や穴若しくは窪みの凹部を形成した固形石鹸で、その空隙や穴若しくは窪みの凹部に使用して小さくなった磨耗固形石鹸を抱き込む方法若しくは収容するする方法で、容易に離れず使用して小さくなった磨耗固形石鹸を最後まで使い切ることが出来る方法も開示されている。（例えば、特許文献３及び特許文献４及び特許文献５及び特許文献６及び特許文献７参照）【０００５】
【特許文献１】特開２００６−０４５４７８号公報
【特許文献２】特開２０１１−１３２３１８号公報
【特許文献３】実用新案公開平７−６２５６号公報
【特許文献４】登録実用新案第３１３８２６０号公報
【特許文献５】登録実用新案第３０４８６２９号公報
【特許文献６】特開１９９４−３３００９５号公報
【特許文献７】実用新案公開平６−１０３５１号公報
【発明の開示】
【発明が解決しようとする課題】
【０００６】  しかしながら、上述した固形石鹸同士を接合、接着するために固形石鹸の接着力を高める方法においては、一部で効果は期待できるが、種類や材質や形状が多岐にわたる固形石鹸において、確実な接合、接着効果を期待することは困難で、剥離しやすく最後まで使い切ることが出来ない欠点がある。【０００７】  また、新しい固形石鹸本体の形状に空隙や穴若しくは窪みの凹部を形成する固形石鹸においては、従来の固形石鹸の意匠やデザインを大きく変更する必要があり、固形石鹸の製造工程に大きな変更や手間がかかり、単価に反映してしまいコストアップにつながる大きな問題を有しているとともに、小さくなった磨耗固形石鹸を収納しない場合においては、空隙や穴若しくは窪みの凹部に水分が停滞し、新しい固形石鹸本体が柔らかくなったり、溶けたりすることで、新しい固形石鹸の使いやすい良好な硬さや水分含有量が維持できない欠点がある。【０００８】  本発明は、このような課題に鑑みてなされたものであり、簡易な構造や加工で従来の固形石鹸の意匠やデザインを大きく変更することなく、また種類や材質や形状が多岐にわたる固形石鹸においも、確実な接合、接着を高めることを目的に、小さくなって使いにくい磨耗固形石鹸を捨てることなく最後まで使用できる固形石鹸を提供することを課題とする。
【課題を解決するための手段】
【０００９】  上記の課題を解決するために本発明の、使用して小さくなった磨耗固形石鹸と嵌挿結合する固形石鹸は、形状に空隙や穴若しくは窪みの凹部を形成することなく、使用して小さくなった磨耗固形石鹸８を嵌挿結合、嵌挿固定する構造で、ずれや剥離を防止する側面視Ｖ字切断面を有する嵌挿溝５若しくは嵌挿突起４で形成されていることを特徴とする。側面視Ｖ字切断面を有する嵌挿溝５若しくは嵌挿突起４が、嵌挿結合、嵌挿固定すべき固形石鹸本体１の少なくとも一つの表面に形成されていることを特徴とし、容易に使用して小さくなった磨耗固形石鹸８を嵌挿結合、嵌挿固定できる。嵌挿結合、嵌挿固定した直後に泡立てる行為を行っても、ずれや剥離が防止できる。また、簡易な構造や加工により安価で経済的にも一般市民にやさしいもので、小さくなって使いにくい磨耗固形石鹸８を捨てることなく最後まで使用できるようにした嵌挿溝５若しくは嵌挿突起４を具えた使用して小さくなった磨耗固形石鹸と嵌挿結合する固形石鹸を提供できる。【００１０】  本発明の、使用して小さくなった磨耗固形石鹸と嵌挿結合する固形石鹸は、鋭角から成る側面視Ｖ字切断面の嵌挿溝５若しくは嵌挿突起４が対角方向に一対で複数配置され、嵌挿結合すべき固形石鹸本体１の平面視中心に向いて湾曲に形成して成ることを特徴とする。嵌挿溝５若しくは嵌挿突起４が複数有することで、大きさにばらつきがある、使用して小さくなった磨耗固形石鹸８の形状に合わせて嵌挿結合が可能で多様な条件に対応できる、使用して小さくなった磨耗固形石鹸と嵌挿結合する固形石鹸を提供できる。【００１１】  また、上記の課題を解決するために本発明の固形石鹸溝切りカッター装置は、嵌挿溝５若しくは嵌挿突起４を具えていない既成品の固形石鹸を、次の新しい固形石鹸として使用する時、使用して小さくなった磨耗固形石鹸８を嵌挿結合、嵌挿固定する必要がある場合において、ずれや剥離を防止する側面視Ｖ字切断面の嵌挿溝５若しくは嵌挿突起４をその場で加工でき、使用して小さくなった磨耗固形石鹸と嵌挿結合する固形石鹸が提供できる。【００１２】  本発明の、固形石鹸溝切りカッター装置を使用することで、既成品の固形石鹸を次の新しい固形石鹸として使用できるため、従来の固形石鹸の意匠やデザインを変更する必要がなく、今まで通りの使用のなかで必要に応じて、使用して小さくなった磨耗固形石鹸と嵌挿結合する固形石鹸が提供できる。
【発明の効果】
【００１３】  本発明は、以下に記載されるような効果を奏する。従来から固形石鹸同士の接着力を高める方法に主眼を置いているため、種類や材質や形状が多岐にわたる固形石鹸は接着力も千差万別で、すべての固形石鹸に接着効果を期待することは困難ある。そこで本発明の請求項１乃至４記載の、使用して小さくなった磨耗固形石鹸と嵌挿結合する固形石鹸は、使用して小さくなった磨耗固形石鹸８を次の新しい固形石鹸と嵌挿結合、嵌挿固定することで、直後に泡立てる行為を行っても、ずれや剥離を防ぐことが出来る。また、嵌挿結合、嵌挿固定後に水分を含ませ泡立てる行為を行うことで、固形石鹸同士の水分含有が増し、表面が溶けて柔らかくなった双方の接触部１１が融合し、数時間ないし数日の時間経過で固形石鹸同士が乾燥硬化して一体化した固形石鹸が提供でき、使用して小さくなった磨耗固形石鹸８を捨てることなく最後まで使い切ることができる。【００１４】  請求項１乃至４記載の、使用して小さくなった磨耗固形石鹸と嵌挿結合する固形石鹸は、従来の固形石鹸の意匠やデザインを大きく変更することなく確実に嵌挿接合、接着できる小規模な嵌挿溝５若しくは嵌挿突起４であるため、固形石鹸の製造工程に大きな変更や手間はかからず、単価に反映してしまうコストアップの問題とはならない。例えば、使用して小さくなった磨耗固形石鹸８の大きさが楕円形状で、長さが６ｃｍ、幅が３．５ｃｍ、厚さが０．３ｃｍと仮定した場合に、使用して小さくなった磨耗固形石鹸８の周縁部１０を嵌挿する嵌挿溝５若しくは嵌挿突起４は、湾曲した延長として２．５ｃｍ程度となり、側面視Ｖ字切断面の深さも０．３ｃｍ程度の小規模であり、意匠的にマークとして文字３や絵柄２やキャラクター６のデザイン表示として表現できるものであり、従来の商品としてのデザイン意匠に配慮できる使用して小さくなった磨耗固形石鹸と嵌挿結合する固形石鹸が提供できる。【００１５】  また、請求項２記載の、使用して小さくなった磨耗固形石鹸と嵌挿結合する固形石鹸は、嵌挿溝５若しくは嵌挿突起４が複数有することで、大きさにばらつきがある、使用して小さくなった磨耗固形石鹸８の形状に合わせて嵌挿結合が可能で多様な条件に対応できる使用して小さくなった磨耗固形石鹸８と確実に嵌挿結合、嵌挿固定する固形石鹸が提供できる。【００１６】  また、請求項３記載の、使用して小さくなった磨耗固形石鹸と嵌挿結合する固形石鹸は、使用して小さくなった磨耗固形石鹸８の周縁部１０を嵌挿する嵌挿溝５若しくは嵌挿突起４を、側面視Ｖ字切断面の上側先端辺９を薄片とすることで、水分を短時間で吸収して水分含有が増し、先端辺９が溶けて柔らかくなり接触部１１が融合し一体化した固形石鹸が提供できる。また、鋸状の切れ込みを入れることで薄片延長が長くなり、より一層の融合ができ一体化した固形石鹸が提供でき、使用して小さくなった磨耗固形石鹸８のずれや剥離を防ぐことができ、捨てることなく最後まで使い切ることができる。【００１７】  請求項４記載の、使用して小さくなった磨耗固形石鹸と嵌挿結合する固形石鹸は、嵌挿溝５若しくは嵌挿突起４位置のマーキング７表示であり、必要に応じて本発明の固形石鹸溝切りカッター装置を使用することで、使用して小��くなった磨耗固形石鹸と嵌挿結合する固形石鹸が提供できる。また、マーキング７表示は意匠的にマークとして文字３や絵柄２やキャラクター６のデザイン表示として表現できるものであり、従来の商品としてのデザイン意匠に配慮できる固形石鹸が提供できる。【００１８】  請求項５乃至８記載の固形石鹸溝切りカッター装置は、請求項１乃至４記載の嵌挿溝５若しくは嵌挿突起４を加工すべき固形石鹸溝切りカッター部材１４を具えたことを特徴とする固形石鹸溝切りカッター装置として提供できる。また、嵌挿溝５若しくは嵌挿突起４を具えていない既成品の固形石鹸を、次の新しい固形石鹸として使用する時、使用して小さくなった磨耗固形石鹸８を嵌挿結合、嵌挿固定する必要がある場合において、ずれや剥離を防止する側面視Ｖ字切断面が加工でき、その場で使用して小さくなった磨耗固形石鹸と嵌挿結合する固形石鹸が提供できる。なお、固形石鹸溝切りカッター装置の材質については、固形石鹸の溝切りに充分な強度を具えていれば、材質に関して特に問われるものではなく、例えば金属、プラスチック、木材などが利用できる。【００１９】  請求項５乃至８記載の固形石鹸溝切りカッター装置を使用することで、既成品の固形石鹸を次の新しい固形石鹸として使用できるため、従来の固形石鹸の意匠やデザインを変更する必要がなく、今まで通りの生活のなかで必要に応じて、使用して小さくなった磨耗固形石鹸と嵌挿結合する固形石鹸が提供できる。【００２０】  請求項９記載の固形石鹸溝切りカッター装置は、背面側部分に吸盤２４を具えたことにより、壁面に装着できるようになって片手で使用しやすく便利で、収納場所も必要としない。また、壁面に装着することで、床面や石鹸箱、洗面具や洗髪具の収納場所に比べ水分の停滞が少なく、固形石鹸溝切りカッター装置の劣化や汚れの軽減になる。【００２１】  請求項１０記載の固形石鹸溝切りカッター装置は、中心脚嵌挿溝１６と回転脚嵌挿溝１８若しくは固形石鹸溝切りカッター装置嵌挿溝２６を具えたことにより、石鹸箱を含む洗面具、水栓やシャワーを含む洗髪具、水廻りの収納コーナーに嵌挿装着固定でき、ずれや剥離を防止する嵌挿溝５若しくは嵌挿突起４である側面視Ｖ字切断面が容易に加工できる。
【発明を実施するための最良の形態】
【００２２】  以下、本発明の実施の形態を図示実施例に基づいて具体例的に説明する。図１乃至３は本発明に係わる使用して小さくなった磨耗固形石鹸と嵌挿結合する固形石鹸であり、嵌挿溝５が対角方向に一対で形成されていることを特徴とする一実施例を示す図である。図１乃至２に示すように、嵌挿溝５が対角方向に一対で形成し、嵌挿結合すべき固形石鹸本体１の平面視中心に向いて湾曲に形成して成ることを特徴とする。また、図３のＡ−Ａ断面図に示すように、鋭角から成る側面視Ｖ字切断面の嵌挿溝５で形成して成ることを特徴とする使用して小さくなった磨耗固形石鹸と嵌挿結合する固形石鹸。【００２３】  図４は使用して小さくなった磨耗固形石鹸８の斜視図である。同図に示すように、磨耗固形石鹸８と周縁部１０から成ることを特徴とする。例えば、使用して小さくなった磨耗固形石鹸８の大きさが楕円形状で、長さが６ｃｍ、幅が３．５ｃｍ、厚さが０．３ｃｍと仮定した場合に、使用して小さくなった磨耗固形石鹸８の周縁部１０の嵌挿する湾曲した延長は２．５ｃｍ程度となる。【００２４】  図５乃至６は本発明に係わる使用して小さくなった磨耗固形石鹸と嵌挿結合する固形石鹸であり、対角方向に一対で形成された嵌挿溝５に使用して小さくなった磨耗固形石鹸８が嵌挿結合、嵌挿固定された状態の一実施例を示す図である。【００２５】  図７は本発明に係わる使用して小さくなった磨耗固形石鹸と嵌挿結合する固形石鹸であり、対角方向に一対で形成された嵌挿溝５に使用して小さくなった磨耗固形石鹸８が嵌挿結合、嵌挿固定された状態の一実施例を示すＢ−Ｂ断面図である。同図に示すように、鋭角から成る側面視Ｖ字切断面の嵌挿溝５に使用して小さくなった磨耗固形石鹸８が嵌挿結合、嵌挿固定された状態で、固形石鹸同士の表面が溶けて双方の接触部１１が融合し、一体化した状態を示す。【００２６】  図８は本発明に係わる使用して小さくなった磨耗固形石鹸と嵌挿結合する固形石鹸であり、図７に示すａ部分断面拡大図である。同図に示すように、使用して小さくなった磨耗固形石鹸８の周縁部１０と、嵌挿する嵌挿溝５が側面視Ｖ字切断面の上側先端辺９が薄片から成る状態を示す。【００２７】  図９は本発明に係わる使用して小さくなった磨耗固形石鹸と嵌挿結合する固形石鹸であり、図７に示すｂ部分断面拡大図である。同図に示すように、使用して小さくなった磨耗固形石鹸８の周縁部１０が嵌挿結合、嵌挿固定された状態で、固形石鹸同士の表面が溶けて双方の接触部１１が融合し一体化した状態を示す。また、側面視Ｖ字切断面の上側先端辺９の薄片が溶けて接触部１１が融合し一体化した状態を示す。【００２８】  図１０乃至１２は本発明に係わる使用して小さくなった磨耗固形石鹸と嵌挿結合する固形石鹸であり、嵌挿突起４が対角方向に一対で形成されていることを特徴とする一実施例を示す図である。図１０に示すように、嵌挿突起４が対角方向に一対で形成し、嵌挿結合、嵌挿固定すべき固形石鹸本体１の平面視中心に向いて湾曲に形成して成ることを特徴とする使用して小さくなった磨耗固形石鹸と嵌挿結合する固形石鹸。図１１は、図１０に示すＣ−Ｃ断面図である。同図に示すように、使用して小さくなった磨耗固形石鹸８の周縁部１０と���嵌挿する嵌挿突起４が側面視Ｖ字切断面の上側先端辺９が薄片から成る状態を示す。また、図１２は、図１１に示すｃ部分断面拡大図である。同図に示すように、使用して小さくなった磨耗固形石鹸８の周縁部１０が嵌挿結合、嵌挿固定された状態で、固形石鹸同士の表面が溶けて双方の接触部１１が融合し、一体化した状態を示す。また、側面視Ｖ字切断面の上側先端辺９の薄片が溶けて接触部１１が融合し一体化した状態を示す。【００２９】  図１３乃至１４は本発明に係わる使用して小さくなった磨耗固形石鹸と嵌挿結合する固形石鹸であり、嵌挿溝５が対角方向に一対で形成し、複数で成ることを特徴とする一実施例を示す図である。図１３に示すように、嵌挿溝５が対角方向に一対で形成し、複数で成ることを特徴とし、嵌挿結合、嵌挿固定すべき固形石鹸本体１の平面視中心に向いて湾曲に形成して意匠的にマークとして文字３や絵柄２やキャラクター６のデザイン表示できるものである。また、図１４のＤ−Ｄ断面図に示すように、嵌挿する嵌挿溝５の側面視Ｖ字切断面の上側先端辺９が薄片から成る状態を示す。【００３０】  図１５は本発明に係わる使用して小さくなった磨耗固形石鹸と嵌挿結合する固形石鹸の嵌挿溝５の拡大平面図である。同図に示すように、使用して小さくなった磨耗固形石鹸８の周縁部１０を嵌挿する嵌挿溝５を、側面視Ｖ字切断面の上側先端辺９を薄片とすることで、水分を短時間で吸収して水分含有が増し、先端辺９が溶けて柔らかくなり接触部１１が融合し一体化した固形石鹸が提供できる。また、側面視Ｖ字切断面の上側先端辺９に鋸状の切れ込みを入れることで薄片延長が長くなりより一層の融合ができ一体化した固形石鹸が提供でき、使用して小さくなった磨耗固形石鹸８のずれや剥離を防ぐことができ、捨てることなく最後まで使い切ることができる。【００３１】  図１６乃至１８は本発明に係わる使用して小さくなった磨耗固形石鹸と嵌挿結合する固形石鹸であり、嵌挿溝５若しくは嵌挿突起４位置のマーキング７表示から成ることを特徴とする一実施例を示す図である。図１６乃至１７に示すように、嵌挿溝５若しくは嵌挿突起４位置のマーキング７表示が対角方向に一対で形成し、複数で成ることを特徴とし、嵌挿結合、嵌挿固定すべき固形石鹸本体１の平面視中心に向いて湾曲にマーキング７表示から成ることを特徴とする使用して小さくなった磨耗固形石鹸と嵌挿結合する固形石鹸。マーキング７表示は意匠的にマークとして文字３や絵柄２やキャラクター６のデザイン表示できるものであり、商品としてのデザイン意匠に配慮できる固形石鹸が提供できる。また、図１８のＥ−Ｅ断面図に示すように、嵌挿溝５若しくは嵌挿突起４位置のマーキング７表示であるため、鋭角から成る側面視Ｖ字切断面がないことを特徴とする使用して小さくなった磨耗固形石鹸と嵌挿結合する固形石鹸。【００３２】  図１９乃至２１は本発明に係わる使用して小さくなった磨耗固形石鹸と嵌挿結合する固形石鹸であり、嵌挿溝５が対角方向に一対で形成し、複数で成ることを特徴とする一実施例を示す図である。図１９乃至２０に示すように、小型の四角型の固形石鹸本体１においての嵌挿溝５が対角方向に一対で形成し、複数で成ることを特徴とし、嵌挿結合、嵌挿固定��べき固形石鹸本体１の平面視中心に向いて湾曲に形成して成ることを特徴とする使用して小さくなった磨耗固形石鹸と嵌挿結合する固形石鹸。また、図２１のＦ−Ｆ断面図に示すように、鋭角から成る側面視Ｖ字切断面の嵌挿溝５が複数で形成して成ることを特徴とする使用して小さくなった磨耗固形石鹸と嵌挿結合する固形石鹸。【００３３】  図２２乃至２４は本発明に係わる使用して小さくなった磨耗固形石鹸と嵌挿結合する固形石鹸であり、嵌挿溝５が対角方向に一対で形成し、複数で成ることを特徴とする一実施例を示す図である。図２２乃至２３に示すように、小型の円型の固形石鹸本体１においての嵌挿溝５が対角方向に一対で形成し、複数で成ることを特徴とし、嵌挿結合、嵌挿固定すべき固形石鹸本体１の平面視中心に向いて湾曲に形成して成ることを特徴とする使用して小さくなった磨耗固形石鹸と嵌挿結合する固形石鹸。また、図２４のＧ−Ｇ断面図に示すように、鋭角から成る側面視Ｖ字切断面の嵌挿溝５が複数で形成して成ることを特徴とする使用して小さくなった磨耗固形石鹸と嵌挿結合する固形石鹸。【００３４】  図２５乃至２７は嵌挿溝５若しくは嵌挿突起４を備えていない従来の四角型及び円型固形石鹸の一既成品の例を示す斜視図である。図２５及び図２７に示すように、固形石鹸本体１の表面に絵柄２がデザインされた一既成品である。絵柄２の窪みは、側壁面と底面をなす角度が直角ないし鈍角に形成されており、本発明に係わる鋭角から成る側面視Ｖ字切断面の嵌挿溝５に類似したものは見当らない。また、図２６の斜視図に示すように、固形石鹸本体１の表面に文字３がデザインされた一既成品である。文字３の窪みは、側壁面と底面をなす角度が直角ないし鈍角に形成されており、本発明に係わる鋭角から成る側面視Ｖ字切断面の嵌挿溝５に類似したものは見当らない。【００３５】  図２８乃至３０は本発明に係わる使用して小さくなった磨耗固形石鹸と嵌挿結合する固形石鹸であり、嵌挿溝５を組み合わせたキャラクター６を表示したことを特徴とする一実施例を示す図である。図２８乃至２９に示すように、嵌挿溝５が対角方向に一対で形成し、複数で成ることを特徴とし、嵌挿結合、嵌挿固定すべき固形石鹸本体１の平面視中心に向いて湾曲に形成しており、表示は意匠的にマークとして文字３や絵柄２やキャラクター６のデザイン表示できるものであり、商品としてのデザイン意匠に配慮できる固形石鹸が提供できる。また、図３０のＨ−Ｈ断面図に示すように、鋭角から成る側面視Ｖ字切断面の嵌挿溝５が複数で形成して成ることを特徴とする使用して小さくなった磨耗固形石鹸と嵌挿結合する固形石鹸。【００３６】  図３１乃至３３は本発明に係わる固形石鹸溝切りカッター装置であって、固形石鹸溝切りカッター部材１４を一つ具えた状態の一実施例を示す図である。同図に示すように、本発明の固形石鹸溝切りカッター装置は、握持部１５とこの握持部１５に連設する垂直芯軸１３を装着した中心脚１２と固形石鹸溝切りカッター部材１４を具えたことを特徴とする固形石鹸溝切りカッター装置。また、図３３の斜視図に示すように、本発明の固形石鹸溝切りカッター装置の握持部１５を握って、垂直芯軸１３を固形石鹸本体１に押し当て、垂直芯軸１３を中心に固形石鹸溝切りカッター部材１４を左右に往復回転して側面視Ｖ字切断面の嵌挿溝５が提供できる。【００３７】  図３４乃至３６は本発明に係わる固形石鹸溝切りカッター装置であって、中心脚１２と回転脚１７が内側連結バンド２０と外側連結バンド２１にて連結されて成る状態の一実施例を示す斜視図である。図３４に示すように、中心脚１２と回転脚１７が自在に変形若しくは伸縮する内側連結バンド２０と外側連結バンド２１にて連結され、装着位置に合わせて多様な条件に対応できる特徴をもっており、中心脚１２に中心脚嵌挿溝１６と回転脚１７に回転脚嵌挿溝１８を具えたことにより、握持部２３（例えば、洗面具の蓋で髭剃り用フォームの蓋や石鹸箱の蓋など）に簡易に装着が可能な固形石鹸溝切りカッター装置である。図３５示すように、握持部２３（例えば、洗面具の蓋で髭剃り用フォームの蓋や石鹸箱の蓋など）の縁に固形石鹸溝切りカッター装置を装着する。また、握持部２３（例えば、洗面具の蓋で髭剃り用フォームの蓋や石鹸箱の蓋など）に脚固定嵌挿溝２２を具えることで、中心脚嵌挿溝１６と回転脚嵌挿溝１８の内側に具えた脚内嵌挿突起１９が噛み合い、ずれや脱落防止となる。図３６に示すように、本発明の固形石鹸溝切りカッター装置の握持部２３（例えば、洗面具の蓋で髭剃り用フォームの蓋や石鹸箱の蓋など）を握って、垂直芯軸１３を固形石鹸本体１に押し当て、垂直芯軸１３を中心に固形石鹸溝切りカッター部材１４を左右に往復回転して側面視Ｖ字切断面の嵌挿溝５が提供できる。【００３８】  図３７乃至３９は本発明に係わる固形石鹸溝切りカッター装置であって、固形石鹸溝切りカッター部材１４を二つ具えた状態の一実施例を示す図である。図３７に示すように、楕円形の一枚の板から加工して成ることを特徴とする固形石鹸溝切りカッター装置であって、固形石鹸溝切りカッター部材１４を二つ具え、それぞれ垂直芯軸１３を中心に斜めに傾斜した一対の中心脚１２と回転脚１７で構成され、回転脚１７の先端部に固形石鹸溝切りカッター部材１４を具えたことを特徴とする固形石鹸溝切りカッター装置である。また、背面側部分に吸盤２４を具えたことを特徴とする。背面側部分に吸盤２４を具えたことにより、壁面に装着できるようになって片手で使用しやすく便利で、収納場所も必要としないことと、壁面に装着することで、床面や石鹸箱、洗面具や洗髪具の収納場所に比べ水分の停滞が少なく、固形石鹸溝切りカッター装置の劣化や汚れの軽減になる。図３８のＩ−Ｉ断面図に示すように、背面側部分に吸盤２４とストッパー２５を具えたことを特徴とする。背面側部分に吸盤２４とストッパー２５を具えたことにより、固形石鹸本体１を垂直芯軸１３に押し当て、垂直芯軸１３を中心に左右に往復回転した場合に固形石鹸溝切りカッター装置の安定感とずれ防止が提供できる。図３９に示すように、嵌挿溝５若しくは嵌挿突起４を備えていない既成品の固形石鹸本体１を握って、固形石鹸溝切りカッター部材１４と垂直芯軸１３に押し当て、垂直芯軸１３を中心に左右に往復回転して側面視Ｖ字切断面の嵌挿溝５を固形石鹸本体１の表面に提供できる。【００３９】  図４０乃至４２は本発明に係わる固形石鹸溝切りカッター装置であって、固形石鹸溝切りカッター部材１４を一つ具えた状態の一実施例を示す図である。図４０に示すように、本発明の固形石鹸溝切りカッター装置は、握持部１５とこの握持部１５に連設する垂直芯軸１３を装着した中心脚１２と固形石鹸溝切りカッター部材１４を具えたことを特徴とする固形石鹸溝切りカッター装置。また、図４１に示すように、中華料理や麺類のスープに多く用いられる蓮華（レンゲ）に似た固形石鹸溝切りカッター装置であって、形状として底が楕円形の平たい舟の形状で、舳先（へさき）となる丸い部分が固形石鹸溝切りカッター部材１４で形成され、底の楕円形の平たい部分に垂直芯軸１３を具えた中心脚１２で形成され、また船尾となる部分が先細に伸びて柄（え）となる部分が握持部１５となる。図４２に示すように、本発明の固形石鹸溝切りカッター装置の握持部１５を握って、垂直芯軸１３を固形石鹸本体１に押し当て、垂直芯軸１３を中心に固形石鹸溝切りカッター部材１４を左右に往復回転して側面視Ｖ字切断面の嵌挿溝５が提供できる。【００４０】  図４３乃至４５は本発明に係わる固形石鹸溝切りカッター装置をキャラクター形状２７（例えば、動物やマンガキャラクターや野球グッズなど）とした意匠に配慮した一実施例を示す図である。図４３に示すように、球体のキャラクター形状２７（例えば、動物やマンガキャラクターや野球グッズなど）から成ることを特徴とする固形石鹸溝切りカッター装置であって、垂直芯軸１３を中心に固形石鹸溝切りカッター部材１４を二つ具えたことを特徴とする固形石鹸溝切りカッター装置である。図４４のＪ−Ｊ断面図に示すように、固形石鹸溝切りカッター部材１４を二つ具え、それぞれ垂直芯軸１３を中心に斜めに傾斜した固形石鹸溝切りカッター部材１４を具えたことを特徴とする固形石鹸溝切りカッター装置である。また、垂直芯軸１３の背面部分に固形石鹸溝切りカッター装置嵌挿溝２６を具えたことを特徴とする。また、図４５に示すように、球体のキャラクター形状２７（例えば、動物やマンガキャラクターや野球グッズなど）から成ることを特徴とする固形石鹸溝切りカッター装置であって、垂直芯軸１３を中心に固形石鹸溝切りカッター部材１４を二つ具えたことを特徴とする固形石鹸溝切りカッター装置である。嵌挿溝５若しくは嵌挿突起４を備えていない既成品の固形石鹸本体１を握って、固形石鹸溝切りカッター部材１４と垂直芯軸１３に押し当て、垂直芯軸１３を中心に左右に往復回転して側面視Ｖ字切断面の嵌挿溝５を固形石鹸本体１表面に加工する。また、垂直芯軸１３の背面部分に固形石鹸溝切りカッター装置嵌挿溝２６を具えたことにより、収納コーナー２８（例えば、石鹸箱や洗面具の収納コーナーなど）に簡易に装着が可能な固形石鹸溝切りカッター装置である。【００４１】  図４６は本発明に係わる固形石鹸溝切りカッター装置を洗面具２９（例えば、洗面具の髭剃り具や歯磨き具や洗髪具など）に具えた状態の一実施例を示す斜視図である。同図に示すように、洗面具２９（例えば、洗面具の髭剃りや歯磨きや洗髪具など）に垂直芯軸１３と固形石鹸溝切りカッター部材１４を具えたことを特徴とする固形石鹸溝切りカッター装置。【００４２】  図４７は本発明に係わる固形石鹸溝切りカッター装置をキャップ３０（例えば、洗面具の蓋で髭剃り用フォームの蓋や石鹸箱の蓋など）に具えた状態の一実施例を示す斜視図である。同図に示すように、キャップ３０（例えば、洗面具の蓋で髭剃り用フォームの蓋や石鹸箱の蓋など）に垂直芯軸１３と固形石鹸溝切りカッター部材１４を具えたことを特徴とする固形石鹸溝切りカッター装置。【００４３】  図４８は本発明に係わる固形石鹸溝切りカッター装置を収納コーナー２８（例えば、石鹸箱や洗面具の収納コーナーなど）に具えた状態の一実施例を示す斜視図である。同図に示すように、収納コーナー２８（例えば、石鹸箱や洗面具の収納コーナーなど）に垂直芯軸１３と固形石鹸溝切りカッター部材１４を具えたことを特徴とする固形石鹸溝切りカッター装置。
【産業上の利用可能性】
【００４４】  近年、もったいない意識や環境に優しい意識やリサイクル意識が高くなり、多くの産業でも意識の強化が進んでおり、固形石鹸においても使用して小さくなった磨耗固形石鹸を捨てることなく、放置することなく再利用できるようにする製品を販売することは、産業上大きな効果を与える可能性がある。また、昨今の洗顔ブームで種類や材質や形状が多岐にわたる固形石鹸として製造販売されており、購入者は高価な洗顔用石鹸であるため、使用して小さくなった磨耗固形石鹸を捨てることなく最後まで使いたい要望は多く、産業上大きな効果を与える可能性がある。
【図面の簡単な説明】
【００４５】
【図１】本発明に係わる使用して小さくなった磨耗固形石鹸と嵌挿結合する固形石鹸の一実施例であって、嵌挿溝５が対角方向に一対で形成されている状態の一実施例を示す平面図である。
【図２】本発明に係わる使用して小さくなった磨耗固形石鹸と嵌挿結合する固形石鹸の一実施例であって、嵌挿溝５が対角方向に一対で形成されている状態の一実施例を示す斜視図である。
【図３】本発明に係わる使用して小さくなった磨耗固形石鹸と嵌挿結合する固形石鹸の一実施例であって、鋭角から成る側面視Ｖ字切断面の嵌挿溝５で形成して成る状態の一実施例を示すＡ−Ａ断面図である。
【図４】使用して小さくなった磨耗固形石鹸８の一例であって、周縁部１０の状態を示す斜視図である。
【図５】本発明に係わる使用して小さくなった磨耗固形石鹸と嵌挿結合する固形石鹸の一実施例であって、嵌挿溝５に小さくなった磨耗固形石鹸８が嵌挿結合、嵌挿固定された状態の一実施例を示す平面図である。
【図６】本発明に係わる使用して小さくなった磨耗固形石鹸と嵌挿結合する固形石鹸の一実施例であって、嵌挿溝５に小さくなった磨耗固形石鹸８が嵌挿結合、嵌挿固定された状態の一実施例を示す斜視図である。
【図７】本発明に係わる使用して小さくなった磨耗固形石鹸と嵌挿結合する固形石鹸の一実施例であって、嵌挿溝５に小さくなった磨耗固形石鹸８が嵌挿結合、嵌挿固定された状態の一実施例を示すＢ−Ｂ断面図である。
【図８】本発明に係わる使用して小さくなった磨耗固形石鹸と嵌挿結合する固形石鹸の一実施例であって、図７に示すａ部分断面拡大図である。
【図９】本発明に係わる使用して小さくなった磨耗固形石鹸と嵌挿結合する固形石鹸の一実施例であって、嵌挿溝５の状態の図７に示すｂ部分断面拡大図である。
【図１０】本発明に係わる使用して小さくなった磨耗固形石鹸と嵌挿結合する固形石鹸の一実施例であって、嵌挿突起４が対角方向に一対で形成されている状態の一実施例を示す平面図である。
【図１１】本発明に係わる使用して小さくなった磨耗固形石鹸と嵌挿結合する固形石鹸の一実施例であって、嵌挿突起４に小さくなった磨耗固形石鹸８が嵌挿結合、嵌挿固定される状態の一実施例を示すＣ−Ｃ断面図である。
【図１２】本発明に係わる使用して小さくなった磨耗固形石鹸と嵌挿結合する固形石鹸の一実施例であって、嵌挿突起４の状態の図１１に示すｃ部分断面拡大図である。
【図１３】本発明に係わる使用して小さくなった磨耗固形石鹸と嵌挿結合する固形石鹸の一実施例であって、嵌挿溝５が対角方向に一対で形成し、複数で成る状態の一実施例を示す平面図である。
【図１４】本発明に係わる使用して小さくなった磨耗固形石鹸と嵌挿結合する固形石鹸の一実施例であって、嵌挿溝５の側面視Ｖ字切断面の上側先端辺９が薄片から成る状態の一実施例を示すＤ−Ｄ断面図である。
【図１５】本発明に係わる使用して小さくなった磨耗固形石鹸と嵌挿結合する固形石鹸の一実施例であって、湾曲に形成した嵌挿溝５の上側先端辺９を鋸状の切れ込み加工した状態の拡大図である。
【図１６】本発明に係わる使用して小さくなった磨耗固形石鹸と嵌挿結合する固形石鹸の一実施例であって、嵌挿溝５若しくは嵌挿突起４位置のマーキング７表示から成る状態の一実施例を示す平面図である。
【図１７】本発明に係わる使用して小さくなった磨耗固形石鹸と嵌挿結合する固形石鹸の一実施例であって、嵌挿溝５若しくは嵌挿突起４位置のマーキング７表示から成る状態の一実施例を示す斜視図である。
【図１８】本発明に係わる使用して小さくなった磨耗固形石鹸と嵌挿結合する固形石鹸の一実施例であって、嵌挿溝５若しくは嵌挿突起４位置のマーキング７表示であるため、鋭角から成る側面視Ｖ字切断面がない状態の一実施例を示すＥ−Ｅ断面図である。
【図１９】本発明に係わる使用して小さくなった磨耗固形石鹸と嵌挿結合する固形石鹸の一実施例であって、小型の四角型の固形石鹸本体１においての嵌挿溝５が対角方向に一対で形成し、複数で成る状態の一実施例を示す平面図である。
【図２０】本発明に係わる使用して小さくなった磨耗固形石鹸と嵌挿結合する固形石鹸の一実施例であって、小型の四角型の固形石鹸本体１においての嵌挿溝５が対角方向に一対で形成し、複数で成る状態の一実施例を示す斜視図である。
【図２１】本発明に係わる使用して小さくなった磨耗固形石鹸と嵌挿結合する固形石鹸の一実施例であって、小型の四角型の固形石鹸本体１においての鋭角から成る側面視Ｖ字切断面の嵌挿溝５で形成して成る状態の一実施例を示すＦ−Ｆ断面図である。
【図２２】本発明に係わる使用して小さくなった磨耗固形石鹸と嵌挿結合する固形石鹸の一実施例であって、小型の円型の固形石鹸本体１においての嵌挿溝５が対角方向に一対で形成し、複数で成る状態の一実施例を示す平面図である。
【図２３】本発明に係わる使用して小さくなった磨耗固形石鹸と嵌挿結合する固形石鹸の一実施例であって、小型の円型の固形石鹸本体１においての嵌挿溝５が対角方向に一対で形成し、複数で成る状態の一実施例を示す斜視図である。
【図２４】本発明に係わる使用して小さくなった磨耗固形石鹸と嵌挿結合する固形石鹸の一実施例であって、小型の円型の固形石鹸本体１においての鋭角から成る側面視Ｖ字切断面の嵌挿溝５で形成して成る状態の一実施例を示すＧ−Ｇ断面図である。
【図２５】四角型固形石鹸の既成品を示す一例であって、固形石鹸本体１の表面に絵柄２がデザインされた状態の斜視図である。
【図２６】四角型固形石鹸の既成品を示す一例であって、固形石鹸本体１の表面に文字３がデザインされた状態の斜視図である。
【図２７】円型固形石鹸の既成品を示す一例であって、固形石鹸本体１の表面に絵柄２がデザインされた状態の斜視図である。
【図２８】本発明に係わる使用して小さくなった磨耗固形石鹸と嵌挿結合する固形石鹸の一実施例であって、嵌挿溝５を組み合わせたキャラクター６を表示して成る状態の一実施例を示す平面図である。
【図２９】本発明に係わる使用して小さくなった磨耗固形石鹸と嵌挿結合する固形石鹸の一実施例であって、嵌挿溝５を組み合わせたキャラクター６を表示して成る状態の一実施例を示す斜視図である。
【図３０】本発明に係わる使用して小さくなった磨耗固形石鹸と嵌挿結合する固形石鹸の一実施例であって、鋭角から成る側面視Ｖ字切断面の嵌挿溝５で形成して成る状態の一実施例を示すＨ−Ｈ断面図である。
【図３１】本発明に係わる固形石鹸溝切りカッター装置の一実施例であって、固形石鹸溝切りカッター部材１４を一つ具えた状態の一実施例を示す側面図である。
【図３２】本発明に係わる固形石鹸溝切りカッター装置の一実施例であって、固形石鹸溝切りカッター部材１４を一つ具えた状態の一実施例を示す斜視図である。
【図３３】本発明に係わる固形石鹸溝切りカッター装置の一実施例であって、嵌挿溝５を加工している状態の一実施例を示す斜視図である。
【図３４】本発明に係わる固形石鹸溝切りカッター装置の一実施例であって、中心脚１２と回転脚１７が内側連結バンド２０と外側連結バンド２１にて連結されて成る状態の一実施例を示す斜視図である。
【図３５】本発明に係わる固形石鹸溝切りカッター装置の一実施例であって、握持部２３の縁に固形石鹸溝切りカッター装置を装着する状態を示した一実施例を示す斜視図である。
【図３６】本発明に係わる固形石鹸溝切りカッター装置の一実施例であって、垂直芯軸１３を中心に固形石鹸溝切りカッター部材１４を左右に往復回転して、嵌挿溝５を加工している状態の一実施例を示す斜視図である。
【図３７】本発明に係わる固形石鹸溝切りカッター装置の一実施例であって、固形石鹸溝切りカッター部材１４を二つ具えた状態の一実施例を示す平面図である。
【図３８】本発明に係わる固形石鹸溝切りカッター装置の一実施例であって、背面側部分に吸盤２４とストッパー２５を具えて成る状態の一実施例を示すＩ−Ｉ断面図である。
【図３９】本発明に係わる固形石鹸溝切りカッター装置の一実施例であって、既成品の固形石鹸本体１を握って、固形石鹸溝切りカッター部材１４と垂直芯軸１３に押し当て垂直芯軸１３を中心に左右に往復回転して、嵌挿溝５を加工している状態の一実施例を示す斜視図である。
【図４０】本発明に係わる固形石鹸溝切りカッター装置の一実施例であって、固形石鹸溝切りカッター部材１４を一つ具えた状態の一実施例を示す側面図である。
【図４１】本発明に係わる固形石鹸溝切りカッター装置の一実施例であって、中華料理や麺類のスープに多く用いられる蓮華（レンゲ）に似た固形石鹸溝切りカッター装置の一実施例を示す斜視図である。
【図４２】本発明に係わる固形石鹸溝切りカッター装置の一実施例であって、握持部１５を握って、垂直芯軸１３を中心に固形石鹸溝切りカッター部材１４を左右に往復回転して嵌挿溝５を加工している状態の一実施例を示す斜視図である。
【図４３】本発明に係わる固形石鹸溝切りカッター装置の一実施例であって、球体のキャラクター形状２７から成る固形石鹸溝切りカッター装置の一実施例を示す平面図である。
【図４４】本発明に係わる固形石鹸溝切りカッター装置の一実施例であって、垂直芯軸１３の背面部分に固形石鹸溝切りカッター装置嵌挿溝２６を具えて成る状態の一実施例を示すＪ−Ｊ断面図である。
【図４５】本発明に係わる固形石鹸溝切りカッター装置の一実施例であって、収納コーナー２８装着した状態で、既成品の固形石鹸本体１を握って、固形石鹸溝切りカッター部材１４と垂直芯軸１３に押し当て垂直芯軸１３を中心に左右に往復回転して、嵌挿溝５を加工している状態の一実施例を示す斜視図である。
【図４６】本発明に係わる固形石鹸溝切りカッター装置の一実施例であって、洗面具２９に垂直芯軸１３と固形石鹸溝切りカッター部材１４を具えた状態の一実施例を示す斜視図である。
【図４７】本発明に係わる固形石鹸溝切りカッター装置の一実施例であって、キャップ３０に垂直芯軸１３と固形石鹸溝切りカッター部材１４を具えた状態の一実施例を示す斜視図である。
【図４８】本発明に係わる固形石鹸溝切りカッター装置の一実施例であって、収納コーナー２８に垂直芯軸１３と固形石鹸溝切りカッター部材１４を具えた状態の一実施例を示す斜視図である。
【符号の説明】１  固形石鹸本体
２  絵柄
３  文字
４  嵌挿突起
５  嵌挿溝
６  キャラクター
７  マーキング
８  磨耗固形石鹸
９  先端辺
１０周縁部
１１接触部
１２中心脚
１３垂直芯軸
１４固形石鹸溝切りカッター部材
１５握持部
１６中心脚嵌挿溝
１７回転脚
１８回転脚嵌挿溝
１９脚内嵌挿突起
２０内側連結バンド
２１外側連結バンド
２２脚固定嵌挿溝
２３握持部（例えば、洗面具の蓋で髭剃り用フォームの蓋や石鹸箱の蓋など）
２４吸盤
２５ストッパー
２６固形石鹸溝切りカッター装置嵌挿溝
２７キャラクター形状（例えば、動物やマンガキャラクターや野球グッズなど）
２８収納コーナー（例えば、石鹸箱や洗面具の収納コーナーなど）
２９洗面具（例えば、洗面具の髭剃り具や歯磨き具や洗髪具など）
３０キャップ（例えば、洗面具の蓋で髭剃り用フォームの蓋や石鹸箱の蓋など）
【図１】
2014185308.tif 000003
【図２】
2014185308.tif 000004
【図３】
2014185308.tif 000005
【図４】
2014185308.tif 000006
【図５】
2014185308.tif 000007
【図６】
2014185308.tif 000008
【図７】
2014185308.tif 000009
【図８】
2014185308.tif 000010
【図９】
2014185308.tif 000011
【図１０】
2014185308.tif 000012
【図１１】
2014185308.tif 000013
【図１２】
2014185308.tif 000014
【図１３】
2014185308.tif 000015
【図１４】
2014185308.tif 000016
【図１５】
2014185308.tif 000017
【図１６】
2014185308.tif 000018
【図１７】
2014185308.tif 000019
【図１８】
2014185308.tif 000020
【図１９】
2014185308.tif 000021
【図２０】
2014185308.tif 000022
【図２１】
2014185308.tif 000023
【図２２】
2014185308.tif 000024
【図２３】
2014185308.tif 000025
【図２４】
2014185308.tif 000026
【図２５】
2014185308.tif 000027
【図２６】
2014185308.tif 000028
【図２７】
2014185308.tif 000029
【図２８】
2014185308.tif 000030
【図２９】
2014185308.tif 000031
【図３０】
2014185308.tif 000032
【図３１】
2014185308.tif 000033
【図３２】
2014185308.tif 000034
【図３３】
2014185308.tif 000035
【図３４】
2014185308.tif 000036
【図３５】
2014185308.tif 000037
【図３６】
2014185308.tif 000038
【図３７】
2014185308.tif 000039
【図３８】
2014185308.tif 000040
【図３９】
2014185308.tif 000041
【図４０】
2014185308.tif 000042
【図４１】
2014185308.tif 000043
【図４２】
2014185308.tif 000044
【図４３】
2014185308.tif 000045
【図４４】
2014185308.tif 000046
【図４５】
2014185308.tif 000047
【図４６】
2014185308.tif 000048
【図４７】
2014185308.tif 000049
【図４８】
2014185308.tif 000050